(57)【要約】【課題】輪郭のがたつきを減らした拡大画像を表示することができる画像の拡大表示機能を比較的簡素な構成で実現して、コストダウンを図ることができる表示駆動装置及びそれを備える表示装置を提供すること。【解決手段】ゲートドライバ２は、走査信号電圧を各走査ラインに印加するタイミングを設定するタイミング信号を順次シフトするシフトレジスタ１２を有し、画像の拡大表示を行う場合に、ノーマル表示／拡大表示制御回路１４によりシフトレジスタ１２におけるタイミング信号のシフト動作を隣接する２本の走査ラインに対応する毎に順次シフトさせ、隣接ずる２本の走査ラインに対して同時に走査信号電圧を印加して元の画像を列方向に２倍に拡大する動作を行い、隣接する２本の走査ラインを２ｎ―１番目と２ｎ番目（ｎ＝１、２、・・・）の走査ラインに設定する動作と、２ｎ番目と２ｎ＋１番目の走査ラインに設定する動作とをフレーム期間毎に交互に行う。【選択図】      図１
2008250224.tif 000002
【特許請求の範囲】
【請求項１】
行方向に配列された複数の走査ライン及び列方向に配列された複数の信号ラインの各交点近傍にマトリクス状に配列された複数の表示画素を有する表示パネルを表示信号に基づいて駆動する表示駆動装置であって、
前記複数の走査ラインに所定の電圧振幅を有する走査信号電圧を順次出力して行毎の前記表示画素を順次選択状態に設定する走査駆動手段と、
前記表示信号を前記複数の信号ラインに対応して取り込み、取り込んだ前記表示信号に基づく表示信号電圧を前記複数の信号ラインに印加する信号駆動手段と、
を備え、
前記走査駆動手段は列方向への画像の拡大表示を行う列方向拡大表示制御回路を有し、前記信号駆動手段は行方向への画像の拡大表示を行う行方向拡大表示制御回路を有し、前記列方向拡大表示制御回路及び前記行方向拡大表示制御回路は、画像の拡大表示を行う場合に、元の画像を列方向及び行方向に拡大した拡大画像を表示させる動作と、前記拡大画像を行方向及び列方法の少なくとも何れか一方方向に、行単位又は列単位で所定量だけずらした位置に表示させる動作と、をフレーム期間毎に交互に行わせることを特徴とする表示駆動装置。
【請求項２】
前記列方向拡大表示制御回路及び前記行方向拡大表示制御回路は、画像の拡大表示を行う場合に、元の画像を列方向及び行方向にそれぞれ２倍に拡大した拡大画像を生成することを特徴とする請求項１に記載の表示駆動装置。
【請求項３】
前記走査駆動手段は、画像の拡大表示を行わない場合に、前記走査信号電圧を前記各走査ラインに印加するタイミングを設定するタイミング信号を前記複数の走査ラインの各々に対応して順次シフトするシフト動作を行うシフトレジスタを有し、
前記列方向拡大表示制御回路は、画像の拡大表示を行う場合に、前記シフトレジスタにおける前記タイミング信号の前記シフト動作を制御し、前記タイミング信号を隣接ずる２本の前記走査ラインに対応して同時に出力させ、且つ、前記隣接する２本の走査ラインに対応する毎に順次シフトさせることを特徴とする請求項１又は２に記載の表示駆動装置。
【請求項４】
前記列方向拡大表示制御回路は、画像の拡大表示を行う場合に、前記隣接する２本の走査ラインを２ｎ―１番目と２ｎ番目（ｎ＝１、２、・・・）の走査ラインに設定する動作と、２ｎ番目と２ｎ＋１番目の走査ラインに設定する動作と、をフレーム期間毎に交互に行うことを特徴とする請求項３に記載の表示駆動装置。
【請求項５】
前記信号駆動手段は、画像の拡大表示を行わない場合に、前記表示信号を取り込むタイミングを設定するタイミング信号を前記複数の信号ラインの各々に対応して順次シフトするシフト動作を行うシフトレジスタを有し、
前記行方向拡大表示制御回路は、画像の拡大表示を行う場合に、前記シフトレジスタにおける前記タイミング信号の前記シフト動作を制御し、前記タイミング信号を隣接ずる２本の前記信号ラインに対応して同時に出力させ、且つ、前記隣接する２本の信号ラインに対応する毎に順次シフトさせることを特徴とする請求項１又は２に記載の表示駆動装置。
【請求項６】
前記行方向拡大表示制御回路は、画像の拡大表示を行う場合に、前記隣接する２本の信号ラインを２ｎ―１番目と２ｎ番目（ｎ＝１、２、・・・）の信号ラインに設定する動作と、２ｎ番目と２ｎ＋１番目の信号ラインに設定する動作と、をフレーム期間毎に交互に行うことを特徴とする請求項５に記載の表示駆動装置。
【請求項７】
行方向に配列された複数の走査ライン及び列方向に配列された複数の信号ラインの各交点近傍にマトリクス状に配列された複数の表示画素を有する表示パネルと、
前記複数の走査ラインに所定の電圧振幅を有する走査信号電圧を順次出力して行毎の前記表示画素を順次選択状態に設定する走査駆動手段と、
前記表示信号を前記複数の信号ラインに対応して取り込み、取り込んだ前記表示信号に基づく表示信号電圧を前記複数の信号ラインに印加する信号駆動手段と、
を備え、
前記走査駆動手段は列方向への画像の拡大表示を行う列方向拡大表示制御回路を有し、前記信号駆動手段は行方向への画像の拡大表示を行う行方向拡大表示制御回路を有し、前記列方向拡大表示制御回路及び前記行方向拡大表示制御回路は、画像の拡大表示を行う場合に、元の画像を列方向及び行方向に拡大した拡大画像を前記表示パネルに表示させる動作と、前記拡大画像を行方向及び列方法の少なくとも何れか一方方向に、行単位又は列単位で所定量だけずらした位置にて前記表示パネルに表示させる動作と、をフレーム期間毎に交互に行わせることを特徴とする表示装置。
【請求項８】
前記走査駆動手段は、画像の拡大表示を行わない場合に、前記走査信号電圧を前記各走査ラインに印加するタイミングを設定するタイミング信号を前記複数の走査ラインの各々に対応して順次シフトするシフト動作を行うシフトレジスタを有し、
前記列方向拡大表示制御回路は、画像の拡大表示を行う場合に、前記シフトレジスタにおける前記タイミング信号の前記シフト動作を制御し、前記タイミング信号を隣接ずる２本の前記走査ラインに対応して同時に出力させ、且つ、前記隣接する２本の走査ラインに対応する毎に順次シフトさせることを特徴とする請求項７に記載の表示装置。
【請求項９】
前記列方向拡大表示制御回路は、画像の拡大表示を行う場合に、前記隣接する２本の走査ラインを２ｎ―１番目と２ｎ番目（ｎ＝１、２、・・・）の走査ラインに設定する動作と、２ｎ番目と２ｎ＋１番目の走査ラインに設定する動作と、をフレーム期間毎に交互に行うことを特徴とする請求項８に記載の表示装置。
【請求項１０】
前記信号駆動手段は、画像の拡大表示を行わない場合に、前記表示信号を取り込むタイミングを設定するタイミング信号を前記複数の信号ラインの各々に対応して順次シフトするシフト動作を行うシフトレジスタを有し、
前記行方向拡大表示制御回路は、画像の拡大表示を行う場合に、前記シフトレジスタにおける前記タイミング信号の前記シフト動作を制御し、前記タイミング信号を隣接ずる２本の前記信号ラインに対応して同時に出力させ、且つ、前記隣接する２本の信号ラインに対応する毎に順次シフトさせることを特徴とする請求項７に記載の表示装置。
【請求項１１】
前記行方向拡大表示制御回路は、画像の拡大表示を行う場合に、前記隣接する２本の信号ラインを２ｎ―１番目と２ｎ番目（ｎ＝１、２、・・・）の信号ラインに設定する動作と、２ｎ番目と２ｎ＋１番目の信号ラインに設定する動作と、をフレーム期間毎に交互に行うことを特徴とする請求項１０に記載の表示装置。
【発明の詳細な説明】
【技術分野】
【０００１】
本発明は、表示パネルを駆動するための表示駆動装置及びそれを備える表示装置に関する。
【背景技術】
【０００２】
近年、液晶表示装置等の種々の表示装置やそれを備える電気機器の需要の増大に伴って、表示機能の多様化、電子機器の利便性の向上を図るために、種々の画像処理機能が求められている。主な画像処理機能の一つとして、画像の拡大表示機能を挙げることができる。
【０００３】
ところで、画像を単純に縦横方向に拡大表示した場合、輪郭のがたつき（ジャギー）が大きくなってしまい、表示品位が大きく低下する。そこで、拡大画像を得る際に、このような輪郭のがたつきを減らした、滑らかな輪郭の拡大画像を生成するための技術として、例えば特許文献１に次のような技術が開示されている。すなわち、特許文献１には、入力された画像に対し、ウェーブレット変換、逆ウェーブレット変換による画像処理を行って、輪郭のがたつきやぼけを低減させた拡大画像を得る技術が開示されている。
【特許文献１】特開２００１−８０２７号公報
【発明の開示】
【発明が解決しようとする課題】
【０００４】
近年、このような画像の拡大表示機能を備える表示装置やそれを備える電子機器のコストダウンを図ることが強く求められており、このために、このような拡大表示機能に係わる部分の回路規模の縮小や制御処理の簡略化が求められている。しかしながら、特許文献１に開示された技術では輪郭の比較的滑らかな拡大画像を得ることが出来るものの、複雑な演算処理を要するため、ＣＰＵによる制御や専用の画像処理回路等が必要となり、回路規模の増大や制御ソフトの増加等のためにコストダウンを図ることが難しいという問題があった。
【０００５】
本発明は、前記の事情に鑑みてなされたもので、輪郭のがたつきを減らした拡大画像を表示することができる画像の拡大表示機能を比較的簡素な構成で実現して、コストダウンを図ることができる表示駆動装置及びそれを備える表示装置を提供することを目的とする。
【課題を解決するための手段】
【０００６】
前記の目的を達成する為に、請求項１に記載の発明は、行方向に配列された複数の走査ライン及び列方向に配列された複数の信号ラインの各交点近傍にマトリクス状に配列された複数の表示画素を有する表示パネルを表示信号に基づいて駆動する表示駆動装置であって、前記複数の走査ラインに所定の電圧振幅を有する走査信号電圧を順次出力して行毎の前記表示画素を順次選択状態に設定する走査駆動手段と、前記表示信号を前記複数の信号ラインに対応して取り込み、取り込んだ前記表示信号に基づく表示信号電圧を前記複数の信号ラインに印加する信号駆動手段と、備え、前記走査駆動手段は列方向への画像の拡大表示を行う列方向拡大表示制御回路を有し、前記信号駆動手段は行方向への画像の拡大表示を行う行方向拡大表示制御回路を有し、前記列方向拡大表示制御回路及び前記行方向拡大表示制御回路は、画像の拡大表示を行う場合に、元の画像を列方向及び行方向に拡大した拡大画像を表示させる動作と、前記拡大画像を行方向及び列方法の少なくとも何れか一方方向に、行単位又は列単位で所定量だけずらした位置に表示させる動作と、をフレーム期間毎に交互に行わせることを特徴とする。
【０００７】
前記の目的を達成する為に、請求項２に記載の発明は、請求項１に記載の表示駆動装置において、前記列方向拡大表示制御回路及び前記行方向拡大表示制御回路は、画像の拡大表示を行う場合に、元の画像を列方向及び行方向にそれぞれ２倍に拡大した拡大画像を生成することを特徴とする。
【０００８】
前記の目的を達成する為に、請求項３に記載の発明は、請求項１又は２に記載の表示駆動装置において、前記走査駆動手段は、画像の拡大表示を行わない場合に、前記走査信号電圧を前記各走査ラインに印加するタイミングを設定するタイミング信号を前記複数の走査ラインの各々に対応して順次シフトするシフト動作を行うシフトレジスタを有し、前記列方向拡大表示制御回路は、画像の拡大表示を行う場合に、前記シフトレジスタにおける前記タイミング信号の前記シフト動作を制御し、前記タイミング信号を隣接ずる２本の前記走査ラインに対応して同時に出力させ、且つ、前記隣接する２本の走査ラインに対応する毎に順次シフトさせることを特徴とする。
【０００９】
前記の目的を達成する為に、請求項４に記載の発明は、請求項３に記載の表示駆動装置において、前記列方向拡大表示制御回路は、画像の拡大表示を行う場合に、前記隣接する２本の走査ラインを２ｎ―１番目と２ｎ番目（ｎ＝１、２、・・・）の走査ラインに設定する動作と、２ｎ番目と２ｎ＋１番目の走査ラインに設定する動作と、をフレーム期間毎に交互に行うことを特徴とする。
【００１０】
前記の目的を達成する為に、請求項５に記載の発明は、請求項１又は２に記載の表示駆動装置において、前記信号駆動手段は、画像の拡大表示を行わない場合に、前記表示信号を取り込むタイミングを設定するタイミング信号を前記複数の信号ラインの各々に対応して順次シフトするシフト動作を行うシフトレジスタを有し、前記行方向拡大表示制御回路は、画像の拡大表示を行う場合に、前記シフトレジスタにおける前記タイミング信号の前記シフト動作を制御し、前記タイミング信号を隣接ずる２本の前記信号ラインに対応して同時に出力させ、且つ、前記隣接する２本の信号ラインに対応する毎に順次シフトさせることを特徴とする。
【００１１】
前記の目的を達成する為に、請求項６に記載の発明は、請求項５に記載の表示駆動装置において、前記行方向拡大表示制御回路は、画像の拡大表示を行う場合に、前記隣接する２本の信号ラインを２ｎ―１番目と２ｎ番目（ｎ＝１、２、・・・）の信号ラインに設定する動作と、２ｎ番目と２ｎ＋１番目の信号ラインに設定する動作と、をフレーム期間毎に交互に行うことを特徴とする。
【００１２】
前記の目的を達成する為に、請求項７に記載の発明の表示装置は、行方向に配列された複数の走査ライン及び列方向に配列された複数の信号ラインの各交点近傍にマトリクス状に配列された複数の表示画素を有する表示パネルと、前記複数の走査ラインに所定の電圧振幅を有する走査信号電圧を順次出力して行毎の前記表示画素を順次選択状態に設定する走査駆動手段と、前記表示信号を前記複数の信号ラインに対応して取り込み、取り込んだ前記表示信号に基づく表示信号電圧を前記複数の信号ラインに印加する信号駆動手段と、を備え、前記走査駆動手段は列方向への画像の拡大表示を行う列方向拡大表示制御回路を有し、前記信号駆動手段は行方向への画像の拡大表示を行う行方向拡大表示制御回路を有し、前記列方向拡大表示制御回路及び前記行方向拡大表示制御回路は、画像の拡大表示を行う場合に、元の画像を列方向及び行方向に拡大した拡大画像を前記表示パネルに表示させる動作と、前記拡大画像を行方向及び列方法の少なくとも何れか一方方向に、行単位又は列単位で所定量だけずらした位置にて前記表示パネルに表示させる動作と、をフレーム期間毎に交互に行わせることを特徴とする。
【００１３】
前記の目的を達成する為に、請求項８に記載の発明は、請求項７に記載の表示装置において、前記走査駆動手段は、画像の拡大表示を行わない場合に、前記走査信号電圧を前記各走査ラインに印加するタイミングを設定するタイミング信号を前記複数の走査ラインの各々に対応して順次シフトするシフト動作を行うシフトレジスタを有し、前記列方向拡大表示制御回路は、画像の拡大表示を行う場合に、前記シフトレジスタにおける前記タイミング信号の前記シフト動作を制御し、前記タイミング信号を隣接ずる２本の前記走査ラインに対応して同時に出力させ、且つ、前記隣接する２本の走査ラインに対応する毎に順次シフトさせることを特徴とする。
【００１４】
前記の目的を達成する為に、請求項９に記載の発明は、請求項８に記載の表示装置において、前記列方向拡大表示制御回路は、画像の拡大表示を行う場合に、前記隣接する２本の走査ラインを２ｎ―１番目と２ｎ番目（ｎ＝１、２、・・・）の走査ラインに設定する動作と、２ｎ番目と２ｎ＋１番目の走査ラインに設定する動作と、をフレーム期間毎に交互に行うことを特徴とする。
【００１５】
前記の目的を達成する為に、請求項１０に記載の発明は、請求項７に記載の表示装置において、前記信号駆動手段は、画像の拡大表示を行わない場合に、前記表示信号を取り込むタイミングを設定するタイミング信号を前記複数の信号ラインの各々に対応して順次シフトするシフト動作を行うシフトレジスタを有し、前記行方向拡大表示制御回路は、画像の拡大表示を行う場合に、前記シフトレジスタにおける前記タイミング信号の前記シフト動作を制御し、前記タイミング信号を隣接ずる２本の前記信号ラインに対応して同時に出力させ、且つ、前記隣接する２本の信号ラインに対応する毎に順次シフトさせることを特徴とする。
【００１６】
前記の目的を達成する為に、請求項１１に記載の発明は、請求項１０に記載の表示装置において、前記行方向拡大表示制御回路は、画像の拡大表示を行う場合に、前記隣接する２本の信号ラインを２ｎ―１番目と２ｎ番目（ｎ＝１、２、・・・）の信号ラインに設定する動作と、２ｎ番目と２ｎ＋１番目の信号ラインに設定する動作と、をフレーム期間毎に交互に行うことを特徴とする。
【発明の効果】
【００１７】
本発明によれば、輪郭のがたつきを減らした拡大画像を表示することができる画像の拡大表示機能を比較的簡素な構成で実現して、コストダウンを図ることができる表示駆動装置及びそれを備える表示装置を提供することができる。
【発明を実施するための最良の形態】
【００１８】
以下、図面を参照して本発明の一実施形態を説明する。
【００１９】
まず、本一実施形態に係る表示駆動装置は、行及び列方向に配列された複数の走査ライン及び複数の信号ラインの各交点近傍にマトリクス状に配列された複数の表示画素を有する表示パネルを表示信号に基づいて駆動する表示駆動装置であって、本一実施形態に係る表示駆動装置に特有の表示駆動を行う駆動手段として、複数の走査ラインに所定の電圧振幅を有する走査信号電圧を順次出力して行毎の表示画素を順次選択状態に設定するゲートドライバと、複数の信号ラインの各々に表示信号に基づく表示信号電圧を印加するソースドライバと、を具備する。以下、本一実施形態に係る表示駆動装置及びそれを具備する表示装置について、詳細に説明する。
【００２０】
図１は、本一実施形態に係る表示駆動装置が具備するゲートドライバ２の構成を示す図である。以下、図１を参照して、ゲートドライバ２の構成を説明する。なお、以下の説明においては、表示パネルの走査ラインがＹ１，Ｙ２，Ｙ３，・・・，Ｙ８００の８００本であり、信号ラインがＲＧＢ３色の画素を１つの画素としたときにＸ１，Ｘ２，Ｘ３，…，Ｘ４８０の４８０本（実際には、４８０×３＝１４４０本）である場合について説明するが、これは一例であって、これに限定するものではない。
【００２１】
ゲートドライバ２は、液晶表示パネル（不図示）に配設された各走査ラインＹ１，Ｙ２，Ｙ３，・・・，Ｙ８００に対して順次走査信号を印加する為に、シフトレジスタ１２と、本一実施形態の主な特徴の一つであるノーマル表示／拡大表示制御回路（列方向拡大表示制御回路）１４と、レベルシフタ１６と、出力アンプ１８とを有する。
【００２２】
シフトレジスタ１２は、タイミングジェネレータ（不図示）から供給される垂直制御信号及び水平制御信号に基づいて、各行の走査ラインに印加する走査信号電圧のタイミングを設定するための信号を順次シフト動作させて、タイミング信号としてレベルシフタ１６に順次出力する。
【００２３】
なお、タイミングジェネレータ（不図示）は、ゲートドライバ２及び後述するソースドライバ４の動作タイミングを制御する為の水平同期信号ＨＳＹＮＣを含む複数の制御信号からなる水平制御信号、垂直同期信号ＶＳＹＮＣを含む複数の制御信号からなる垂直制御信号，及び水平クロック信号ＤＯＴＣＬＯＣＫや、詳細は後述する制御信号ＧＳ０，ＧＳ１，ＤＳ０，ＤＳ１等を生成して、ゲートドライバ２及びソースドライバ４へ出力する。
【００２４】
ノーマル表示／拡大表示制御回路１４は、詳細には図３（Ａ），（Ｂ）を参照して後述するが、垂直同期信号ＶＳＹＮＣの奇数回目と偶数回目とを、タイミングジェネレータ（不図示）から供給された制御信号ＧＳ０，ＧＳ１に基づいて判別し、該判別に基づいた出力を行う回路である。
【００２５】
ここで、本一実施形態に係る表示駆動装置においては、図１に示すように第２ｎ−１番目のノーマル表示／拡大表示制御回路１４におけるＥｖｅｎ端子及びＯｄｄ端子と、第２ｎ番目のノーマル表示／拡大表示制御回路１４におけるとＥｖｅｎ端子とは共に、第２ｎ−１番目のシフトレジスタ１２に垂直同期信号ＶＳＹＮＣを入力するラインに接続されており、このラインによって前記の各端子には同時に垂直同期信号ＶＳＹＮＣが供給される。
【００２６】
レベルシフタ１６は、電源回路（不図示）から供給される駆動電圧に基づいて、シフトレジスタ１２から出力されるタイミング信号の信号レベルを走査信号電圧に対応する所定の信号レベルに変換する。
【００２７】
出力アンプ１８は、垂直制御信号として供給されるゲートラインアウトプットイネーブル信号ＧＯＥに基づいて各走査ラインＹ１，Ｙ２，Ｙ３，…，Ｙ８００への走査信号電圧の印加タイミングが制御され、ハイレベルとしてＶＧＨ、ローレベルとしてＶＧＬの走査信号を出力する。
【００２８】
なお、レベルシフタ１６及び出力アンプ１８については、本願発明の特徴部ではないので詳細な説明は省略する。
【００２９】
続いて、本一実施形態に係る表示駆動装置が具備するソースドライバ４の構成を、図２を参照して説明する。
【００３０】
すなわち、ソースドライバ４は、液晶表示パネル（不図示）に配設された各信号ラインＸ１Ｒ，Ｘ１Ｇ，Ｘ１Ｂ，Ｘ２Ｒ，Ｘ２Ｇ，Ｘ２Ｂ，…，Ｘ４８０Ｒ，Ｘ４８０Ｇ，Ｘ４８０Ｂに対して表示データに応じた表示信号電圧を印加する為に、シフトレジスタ２２と、ノーマル表示／拡大表示制御回路（行方向拡大表示制御回路）２４と、データレジスタ２６と、データラッチ２７と、出力アンプ２８とを有する。
【００３１】
なお、図２において、各信号ラインＸ１Ｒ，Ｘ１Ｇ，Ｘ１Ｂはシフトレジスタ２２のＸ１出力に対応し、Ｘ２Ｒ，Ｘ２Ｇ，Ｘ２Ｂはシフトレジスタ２２のＸ２出力に対応し、Ｘ４８０Ｒ，Ｘ４８０Ｇ，Ｘ４８０Ｂはシフトレジスタ２２のＸ４８０出力に対応している。
【００３２】
シフトレジスタ２２は、タイミングジェネレータ（不図示）から供給された一水平期間の開始を示す水平同期信号ＨＳＹＮＣを水平クロック信号ＤＯＴＣＬＯＣＫに基づいて、データレジスタ２６において表示データをサンプリングするタイミングを設定するための信号を順次シフト動作させ、タイミング信号としてデータレジスタ２６に順次出力する。
【００３３】
ノーマル表示／拡大表示制御回路２４は、詳細には図３（Ａ），（Ｂ）を参照して後述するが、水平同期信号ＨＳＹＮＣの奇数回目と偶数回目とを、タイミングジェネレータ（不図示）から供給された制御信号ＤＳ０，ＤＳ１に基づいて判別し、該判別に基づいた出力を行う回路である。
【００３４】
ここで、本一実施形態に係る表示駆動装置においては、図１に示すように第２ｎ−１番目のノーマル表示／拡大表示制御回路２４におけるＥｖｅｎ端子及びＯｄｄ端子と、第２ｎ番目のノーマル表示／拡大表示制御回路２４におけるとＥｖｅｎ端子とは共に、第２ｎ−１番目のシフトレジスタ２２に水平同期信号ＨＳＹＮＣを入力するラインに接続されており、このラインによって前記の各端子には同時に水平同期信号ＨＳＹＮＣが供給される。
【００３５】
データレジスタ２６は、Ｒ信号、Ｇ信号、Ｂ信号として並行して供給される表示データを、シフトレジスタ２２から順に出力されるタイミング信号に同期して、画像信号として順次サンプリングして保持し、出力する。
【００３６】
データラッチ２７は、データレジスタ２６に同一水平ライン分の画像信号が保持された後に、水平制御信号により供給される制御信号のタイミングに基づいて、これら同水平一ラインの画像信号を同時にラッチする。
【００３７】
出力アンプ２８は、データラッチ２７にラッチされた同水平一ラインの画像信号に対応する表示信号電圧を各信号ラインＸ１Ｒ，Ｘ１Ｇ，Ｘ１Ｂ，Ｘ２Ｒ，Ｘ２Ｇ，Ｘ２Ｂ，…，Ｘ４８０Ｒ，Ｘ４８０Ｇ，Ｘ４８０Ｂに印加する。以上の動作を順次各行ごとに連続して行うことで、液晶表示パネル（不図示）における画像表示が行われる。
【００３８】
なお、データレジスタ２６、データラッチ２７、及び出力アンプ２８については、本願発明の特徴部ではないので詳細な説明を省略する。
【００３９】
以下、本一実施形態に係る表示駆動装置による拡大表示時の表示駆動について、図３乃至図５を参照して説明する。
【００４０】
図３（Ａ）は、本一実施形態に係る表示駆動装置に特有のノーマル表示／拡大表示制御回路１４，２４の回路構成を示す図である。図３（Ｂ）は、このノーマル表示／拡大表示制御回路１４，２４における論理制御の真理値表を示す図である。
【００４１】
なお、ゲートドライバ２におけるノーマル表示／拡大表示制御回路１４と、ソースドライバ４におけるノーマル表示／拡大表示制御回路２４とは、同様のセレクタ回路構成を採り且つ同様の論理制御を行うので、図３（Ａ），（Ｂ）においては制御信号ＧＳ０，ＤＳ０を制御信号Ｓ０と総称し、制御信号ＧＳ１，ＤＳ１を制御信号Ｓ１と総称して、ノーマル表示／拡大表示制御回路１４，２４の回路構成を説明する。
【００４２】
まず、ノーマル表示／拡大表示制御回路１４，２４は、図３（Ａ）に示すように、ＡＮＤ回路３１Ａ，３１Ｂ，３１Ｃと、ＯＲ回路３３と、ＮＯＴ回路３５Ａ，３５Ｂとから構成され、次のような信号入力が行われる。
【００４３】
ＡＮＤ回路３１ＡにおけるＮｏｒｍａｌ端子には、垂直同期信号ＶＳＹＮＣ又は水平同期信号ＨＳＹＮＣ（ノーマル表示／拡大表示制御回路１４の場合には垂直同期信号ＶＳＹＮＣ、ノーマル表示／拡大表示制御回路２４の場合には水平同期信号ＨＳＹＮＣ；以下同様）が入力され、制御信号Ｓ０の入力端子にはＮＯＴ回路３５Ａにて反転された制御信号Ｓ０が入力される。
【００４４】
ＡＮＤ回路３１ＢにおけるＯｄｄ端子には、垂直同期信号ＶＳＹＮＣ又は水平同期信号ＨＳＹＮＣが入力され、制御信号Ｓ０の入力端子には制御信号Ｓ０が、制御信号Ｓ１の入力端子にはＮＯＴ回路３５Ｂにて反転された制御信号Ｓ１が入力される。
【００４５】
ＡＮＤ回路３１ＣにおけるＥｖｅｎ端子には、垂直同期信号ＶＳＹＮＣ又は水平同期信号ＨＳＹＮＣが入力され、制御信号Ｓ０の入力端子には制御信号Ｓ０が入力され、制御信号Ｓ１の入力端子には制御信号Ｓ１が入力される。
【００４６】
そして、ＯＲ回路３３には、これらＡＮＤ回路３１Ａ，３１Ｂ，３１Ｃのそれぞれからの出力が入力される。
【００４７】
ここで、ノーマル表示／拡大表示制御回路１４，２４における入出力の関係は、図３（Ｂ）に示す真理値表に示すようになる。
【００４８】
（１）制御信号Ｓ０＝０が入力された場合には、入力された制御信号Ｓ１の値に関わらず（制御信号Ｓ１＝０であってもＳ１＝１であっても）、ノーマル端子に入力された信号が出力される。
【００４９】
（２）制御信号Ｓ０＝１且つ制御信号Ｓ１＝０が入力された場合には、Ｏｄｄ端子に入力された信号が出力される。
【００５０】
（３）制御信号Ｓ０＝１且つ制御信号Ｓ１＝１が入力された場合には、Ｅｖｅｎ端子に入力された信号が出力される。
【００５１】
以上説明したノーマル表示／拡大表示制御回路１４の入出力関係と、図１を参照して説明したゲートドライバ構成とから、各シフトレジスタ１２からの信号の出力タイミングは図４（Ａ），（Ｂ）に示すようになる。
【００５２】
ここで、図４（Ａ）は、本一実施形態に係る表示駆動装置によって画像の拡大表示を行う場合において、液晶表示パネル（不図示）に配設された各走査ラインＹ１，Ｙ２，Ｙ３，・・・，Ｙ８００に対して印加する走査信号の各シフトレジスタ１２からの出力タイミングのタイミングチャートを示す図である。図４（Ｂ）は、ノーマル表示（拡大表示でない表示）を行う場合において、液晶表示パネル（不図示）に配設された各走査ラインＹ１，Ｙ２，Ｙ３，・・・，Ｙ８００に対して印加する走査信号の各シフトレジスタ１２からの出力タイミングのタイミングチャートを示す図である。
【００５３】
すなわち、ゲートドライバ２の場合、図４（Ａ）に示すようにノーマル表示／拡大表示制御回路１４に制御信号ＧＳ０＝１且つＧＳ１＝０が入力された場合、奇数回目の垂直同期信号ＶＳＹＮＣによって、第２ｎ−１番目の走査ラインと第２ｎ番目の走査ラインとに印加する走査信号電圧に対応するタイミング信号が、水平同期信号ＨＳＹＮＣに同期して、それぞれ第２ｎ−１番目のシフトレジスタ１２と第２ｎ番目のシフトレジスタ１２とから同時に出力される。このようにして、第２ｎ−１番目の走査ラインと第２ｎ番目の走査ラインとが同時に選択される。ここで、ｎは、正の整数であるとする（以下、同様）。
【００５４】
また、ノーマル表示／拡大表示制御回路１４に制御信号ＧＳ０＝１且つＧＳ１＝１が入力された場合、偶数回目の垂直同期信号ＶＳＹＮＣによって、第２ｎ番目の走査ラインと第２ｎ＋１番目の走査ラインとに印加する走査信号電圧に対応するタイミング信号が、水平同期信号ＨＳＹＮＣに同期して、それぞれ第２ｎ番目のシフトレジスタ１２と第２ｎ＋１番目のシフトレジスタ１２とから同時に出力される。このようにして、第２ｎ番目の走査ラインと第２ｎ＋１番目の走査ラインとが同時に選択される。
【００５５】
なお、図１を参照して説明したゲートドライバ構成から分かるように、第２番目及び第３番目のシフトレジスタ１２から、第２番目及び第３番目の走査ラインに印加する走査信号電圧に対応するタイミング信号が出力される時には、第１番目のシフトレジスタ１２からも第１番目の走査ラインに印加する走査信号電圧に対応するタイミング信号が出力される。つまり、第１番目の走査ラインは、第２番目の走査ラインと第３番目の走査ラインとが選択される時に、同時に選択される。また、第８００番目の走査ラインは単独で選択される。
【００５６】
一方、ノーマル表示／拡大表示制御回路１４に制御信号ＧＳ０＝０が入力される場合には、入力された制御信号ＧＳ１の値に関わらず、図４（Ｂ）に示すような通常通りの表示駆動となる。すなわち、この場合には通常通り１行毎の走査ラインを順次選択するノーマル表示駆動を行う。なお、このノーマル表示駆動に関しては公知の技術であり、本一実施形態に係る表示駆動装置の特徴部ではないので、詳細な説明は省略する。
【００５７】
以上説明したように、制御信号ＧＳ０及び制御信号ＧＳ１の値を上述したように切り替えることで、拡大表示において、奇数フレームと偶数フレームとで、列方向に１行だけ互いにずれた表示とすることができる。
【００５８】
一方、ソースドライバ４については、上述したノーマル表示／拡大表示制御回路２４の入出力関係と、図２を参照して説明したソースドライバ構成とから、各シフトレジスタ２２からの信号の出力タイミングは図５（Ａ），（Ｂ）に示すようになる。
【００５９】
ここで、図５（Ａ）は、拡大表示を行う場合において、データレジスタ２６における表示データのサンプリングタイミングを設定するための、シフトレジスタ２２から出力されるタイミング信号のタイミングチャートを示す図である。図５（Ｂ）は、ノーマル表示（拡大表示でない表示）を行う場合において、シフトレジスタ２２から出力されるタイミング信号のタイミングチャートを示す図である。なお、ここでは、便宜上、信号ラインＸ１Ｒ，Ｘ１Ｇ，Ｘ１Ｂを信号ラインＸ１、信号ラインＸ２Ｒ，Ｘ２Ｇ，Ｘ２Ｂを信号ラインＸ２、信号ラインＸ３Ｒ，Ｘ３Ｇ，Ｘ３Ｂを信号ラインＸ３、以下同様に信号ラインＸ４８０Ｒ，Ｘ４８９Ｇ，Ｘ４８０Ｂを信号ラインＸ４８０として説明する。
【００６０】
すなわち、図５（Ａ）に示すようにノーマル表示／拡大表示制御回路２４に制御信号ＤＳ０＝１且つＤＳ１＝０が入力された場合、奇数回目の水平同期信号ＨＳＹＮＣによって、第２ｎ−１番目の信号ラインと第２ｎ番目の信号ラインとに印加する表示データをサンプリングするためのタイミング信号が、水平クロック信号ＤＯＴＣＬＯＣＫに同期して、それぞれ第２ｎ−１番目のシフトレジスタ２２と第２ｎ番目のシフトレジスタ２２とから同時に出力される。このようにして、２つの隣り合う信号ラインに印加する表示データのサンプリングタイミングが同じタイミングに設定される。
【００６１】
また、ノーマル表示／拡大表示制御回路２４に制御信号ＤＳ０＝１且つＤＳ１＝１が入力された場合、偶数回目の水平同期信号ＨＳＹＮＣによって、第２ｎ番目の信号ラインと第２ｎ＋１番目の信号ラインとに印加する表示データをサンプリングするためのタイミング信号が、水平クロック信号ＤＯＴＣＬＯＣＫに同期して、それぞれ第２ｎ番目のシフトレジスタ１２と第２ｎ＋１番目のシフトレジスタ１２とから同時に出力される。このようにして、２つの隣り合う信号ラインに印加する表示データのサンプリングタイミングが同じタイミングに設定される。
【００６２】
なお、図２を参照して説明したゲートドライバ構成から分かるように、第２番目及び第３番目のシフトレジスタ２２から、第２番目及び第３番目の信号ラインに印加する表示データをサンプリングするためのタイミング信号が出力される時には、第１番目のシフトレジスタ２２からも第１番目の信号ラインに印加する表示データをサンプリングするためのタイミング信号が出力される。つまり、第１番目の信号ラインに印加する表示データをサンプリングタイミングは、第２番目の信号ラインと第３番目の信号ラインと印加する表示データをサンプリングタイミングと同じタイミングに設定される。また、第４８０番目の信号ラインに印加する表示データをサンプリングタイミングは単独のタイミングに設定される。
【００６３】
一方、ノーマル表示／拡大表示制御回路２４に制御信号ＤＳ０＝０が入力される場合には、入力された制御信号ＤＳ１の値に関わらず、図５（Ｂ）に示すような通常通りの表示駆動となる。すなわち、この場合には通常通り表示データのサンプリングタイミングが１行毎のタイミングに設定される。なお、このノーマル表示駆動に関しては公知の技術であり、本一実施形態に係る表示駆動装置の特徴部ではないので、詳細な説明は省略する。
【００６４】
以上説明したように、制御信号ＤＳ０及び制御信号ＤＳ１の値を上述したように切り替えることで、拡大表示において、奇数フレームと偶数フレームとを、列方向に１列だけ互いにずれた表示とすることができる。
【００６５】
なお、本一実施形態においては画像の拡大表示の一例として、図６（Ａ）に示すように、ＷＶＧＡ用の表示データをＷＱＶＧＡで拡大表示する場合（すなわち２×２拡大表示を行う場合）を想定する。
【００６６】
ここで、２×２拡大表示時においては、図６（Ａ）に示すように２行の走査ラインを同時に選択し且つ２列の信号ラインに同一の表示データを書き込む。一方、本一実施形態においても、拡大表示を行わない場合（ノーマル表示を行う場合）には、図６（Ｂ）に示すように通常通り１行の走査ラインを選択し且つ１列の信号ラインに信号データを書き込む。
【００６７】
ここで、図６（Ａ），（Ｂ）に示すように、本一実施形態において想定する表示装置は８００行×４８０列（各列はそれぞれＲラインＧラインＢラインによって構成される）の画素数で構成される。従って、図６（Ａ）に示すように２×２拡大表示を行う場合には、実質的な画素数は４００行×２４０列となる。なお、図６（Ａ），（Ｂ）において符号５が付されているのは、当該表示装置を駆動する為のドライバである。
【００６８】
以上説明したように、本一実施形態に係る表示駆動装置では、偶数回目の垂直同期信号ＶＳＹＮＣであるか奇数回目の垂直同期信号ＶＳＹＮＣであるかに基づいて、ゲートドライバ２における表示駆動を切り替える方式（便宜的にゲートドライバ切り替え方式と称する）と、偶数回目の水平同期信号ＨＳＹＮＣであるか奇数回目の水平同期信号ＨＳＹＮＣであるかに基づいてソースドライバ４による表示駆動を切り替える方式（便宜的にソースドライバ切り替え方式と称する）とを適宜実施することで、例えば次の３種類の拡大表示モードを実現する。
【００６９】
≪第１モード≫
第１モードにおいては、ゲートドライバ切り替え方式のみを用いる。
【００７０】
すなわち、ゲートドライバ２に関しては、図７（Ａ）に示すようにノーマル表示／拡大表示制御回路１４に入力する制御信号を、制御信号ＧＳ０＝１且つ制御信号ＧＳ１＝０の組み合わせと、制御信号ＧＳ０＝１且つ制御信号ＧＳ１＝１の組み合わせとを奇数フレームと偶数フレームで順次切り替えて表示駆動を行う。
【００７１】
一方、ソースドライバ４に関しては、図７（Ａ）に示すようにノーマル表示／拡大表示制御回路２４に入力する制御信号を、常に制御信号ＤＳ０＝１且つ制御信号ＤＳ１＝０とする表示駆動を行う。
【００７２】
このように、第１モードによれば、制御信号ＧＳ０及び制御信号ＧＳ１の値を上述したように切り替えることで、奇数フレームと偶数フレームとを、行単位で行方向に１行だけ互いにずれた表示とする。このような表示駆動を行った場合、ユーザーには奇数フレームの表示と偶数フレームの表示とが重なって見える。これにより、図７（Ｂ）に示すように、奇数フレーム時においても偶数フレーム時においても常に表示が行われる画素と、奇数フレーム時または偶数フレーム時においてのみ表示が行われて、中間階調に見える画素とが生じる。これによって拡大表示を行なうことで、図７（Ｂ）のように斜め線を拡大表示する場合でも、斜め線のエッジ部分がぼかされて、ユーザーにとっては比較的滑らかな拡大表示として視覚的に認識される。
【００７３】
なお、拡大表示を行わない場合には、上述したように制御信号ＧＳ０＝０且つ制御信号ＤＳ０＝０をノーマル表示／拡大表示制御回路２４に入力することで、図７（Ｃ）に示すように通常の表示が行われる。この際、入力する制御信号ＧＳ１及びＤＳ１の値は０でも１でも構わない。
【００７４】
≪第２モード≫
第２モードにおいては、ソースドライバ切り替え方式のみを用いる。
【００７５】
すなわち、ゲートドライバ２に関しては、図８に示すようにノーマル表示／拡大表示制御回路１４に入力する制御信号を、常に制御信号ＧＳ０＝１且つ制御信号ＧＳ１＝０とする表示駆動を行う。
【００７６】
一方、ソースドライバ４に関しては、図８（Ａ）に示すようにノーマル表示／拡大表示制御回路２４に入力する制御信号を、制御信号ＤＳ０＝１且つ制御信号ＤＳ１＝０の組み合わせと、制御信号ＤＳ０＝１且つ制御信号ＤＳ１＝１の組み合わせとを奇数フレームと偶数フレームで順次切り替えて表示駆動を行う。
【００７７】
このように、第２モードによれば、制御信号ＤＳ０及び制御信号ＤＳ１の値を上述したように切り替えることで、奇数フレームと偶数フレームとを、列単位で列方向に１列だけ互いにずれた表示とする。これにより、図８（Ｂ）に示すように、奇数フレーム時においても偶数フレーム時においても常に表示が行われる画素と、奇数フレーム時または偶数フレーム時においてのみ表示が行われて、中間階調に見える画素とが生じる。これによって拡大表示を行なうことで、図８（Ｂ）のように斜め線を拡大表示する場合でも、斜め線のエッジ部分がぼかされて、ユーザーにとっては比較的滑らかな拡大表示として視覚的に認識される。
【００７８】
≪第３モード≫
第３モードにおいては、ゲートドライバ切り替え方式とソースドライバ切り替え方式の両方を用いる。
【００７９】
すなわち、ゲートドライバ２に関しては、図９に示すようにノーマル表示／拡大表示制御回路１４に入力する制御信号を、制御信号ＧＳ０＝１且つ制御信号ＧＳ１＝０の組み合わせと、制御信号ＧＳ０＝１且つ制御信号ＧＳ１＝１の組み合わせとを順次切り替えて表示駆動を行う。
【００８０】
一方、ソースドライバ４に関しては、図９に示すようにノーマル表示／拡大表示制御回路２４に入力する制御信号を、制御信号ＤＳ０＝１且つ制御信号ＤＳ１＝０の組み合わせと、制御信号ＤＳ０＝１且つ制御信号ＤＳ１＝１の組み合わせとを奇数フレームと偶数フレームで順次切り替えて表示駆動を行う。
【００８１】
このように、第３モードによれば、制御信号ＧＳ０、制御信号ＧＳ１、制御信号ＤＳ０、及び制御信号ＤＳ１の値を上述したように切り替えることで、奇数フレームと偶数フレームとを、行方向に１行だけ且つ列方向に１列だけ互いにずれた表示とする。これにより、図９（Ｂ）に示すように、奇数フレーム時においても偶数フレーム時においても常に表示が行われる画素と、奇数フレーム時または偶数フレーム時においてのみ表示が行われて、中間階調に見える画素とが生じる。これによって拡大表示を行なうことで、図９（Ｂ）のように斜め線を拡大表示する場合でも、斜め線のエッジ部分がぼかされて、ユーザーにとっては比較的滑らかな拡大表示として視覚的に認識される。
【００８２】
以上説明したように、本一実施形態によれば、画像を拡大表示させる場合に、当該拡大表示に係る画像が粗い表示にならない表示駆動をドライバのみで行うことができる表示駆動装置及びそれを備える表示装置を提供することができる。
【００８３】
具体的には、本一実施形態によって、以下のような効果が生まれる。すなわち、例えばＷＱＶＧＡ用の画像をＷＶＧＡで拡大表示を行う場合において、単純に画像を拡大表示させただけでは、ＷＱＶＧＡにおける１画素がＷＶＧＡにおける４画素へと拡大され、ＷＶＧＡの画素が活かされない粗い表示になってしまうが、本一実施形態に係る表示駆動装置によれば、ＷＱＶＧＡ用の画像を単純に４倍したフレームと、水平方向（列方向）及び／または垂直方向（行方向）に１ドットだけずらした画像を４倍に拡大したフレームとを、上述したように実質的に合成して表示させることで、ＷＱＶＧＡ用の画像における１画素を実質的にＷＶＧＡ表示における６画素に変換する。これにより、比較的滑らかな拡大表示画像を得ることができる。また、このような拡大画像を得るために複雑な画像処理等を行うことなく、ゲートドライバ２及びソースドライバ４に設けた回路によってこのような拡大画像を容易に得ることができるため、コストアップを抑えることができる。
【００８４】
以上、一実施形態に基づいて本発明を説明したが、本発明は上述した実施形態に限定されるものではなく、本発明の要旨の範囲内で種々の変形及び応用が可能なことは勿論である。
【００８５】
例えば、一実施形態においては、ＷＱＶＧＡの表示データをＷＶＧＡ表示する場合を例に説明したが、例えばＱＶＧＡ用の画像をＶＧＡ表示する場合やＱＣＩＦ用の画像をＣＩＦ表示する場合等にも一実施形態を適用することができることは勿論である。
【００８６】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８７】
【図１】本発明の一実施形態に係る表示駆動装置におけるゲートドライバの構成を示す図。
【図２】本発明の一実施形態に係る表示駆動装置におけるソースドライバの構成を示す図。
【図３】（Ａ）は、本発明の一実施形態に係る表示駆動装置に特有のノーマル表示／拡大表示制御回路の回路構成を示す図。（Ｂ）は、本発明の一実施形態に係る表示駆動装置に特有のノーマル表示／拡大表示制御回路における論理制御の真理値表を示す図。
【図４】（Ａ）は、拡大表示を行う場合において、液晶表示パネルに配設された各走査ラインＹ１，Ｙ２，Ｙ３，・・・，Ｙ８００に対して印加する走査信号の各シフトレジスタからの出力タイミングのタイミングチャートを示す図。（Ｂ）は、ノーマル表示（拡大表示でない表示）を行う場合において、液晶表示パネルに配設された各走査ラインＹ１，Ｙ２，Ｙ３，・・・，Ｙ８００に対して印加する走査信号の各シフトレジスタからの出力タイミングのタイミングチャートを示す図。
【図５】（Ａ）は、拡大表示を行う場合において、液晶表示パネルに配設された各信号ラインＸ１，Ｘ２，Ｘ３，・・・，Ｘ４８０に対して印加する階調電圧の各シフトレジスタからの出力タイミングのタイミングチャートを示す図。（Ｂ）は、ノーマル表示（拡大表示でない表示）を行う場合において、液晶表示パネルに配設された各走査ラインＸ１，Ｘ２，Ｘ３，・・・，Ｘ４８０に対して印加する階調電圧の各シフトレジスタからの出力タイミングのタイミングチャートを示す図。
【図６】（Ａ）は、ＷＶＧＡでの表示データをＷＱＶＧＡで拡大表示する場合（２×２拡大表示を行う場合）の駆動イメージを示す図。（Ｂ）は、ノーマル表示をする場合の駆動イメージを示す図。
【図７】（Ａ），（Ｂ）は、本発明の一実施形態に係る表示駆動装置における第１モード時の表示駆動イメージを示す図。（Ｃ）は、本発明の一実施形態に係る表示駆動装置におけるノーマル表示時の表示駆動イメージを示す図。
【図８】（Ａ），（Ｂ）は、本発明の一実施形態に係る表示駆動装置における第２モード時の表示駆動イメージを示す図。
【図９】（Ａ），（Ｂ）は、本発明の一実施形態に係る表示駆動装置における第３モード時の表示駆動イメージを示す図。
【符号の説明】
【００８８】
２…ゲートドライバ、  ４…ソースドライバ、  １２，２２…シフトレジスタ、  １４，２４…ノーマル表示／拡大表示制御回路、  １６…レベルシフタ、  １８…出力アンプ、  ２２…シフトレジスタ、  ２６…データレジスタ、  ２７…データラッチ、  ２８…出力アンプ、  ３１Ａ，３１Ｂ，３１Ｃ…ＡＮＤ回路、  ３３…ＯＲ回路、  ３５Ａ…ＮＯＴ回路、  ３５Ｂ…ＮＯＴ回路。
【図１】
2008250224.tif 000003
【図２】
2008250224.tif 000004
【図３】
2008250224.tif 000005
【図４】
2008250224.tif 000006
【図５】
2008250224.tif 000007
【図６】
2008250224.tif 000008
【図７】
2008250224.tif 000009
【図８】
2008250224.tif 000010
【図９】
2008250224.tif 000011